(57)【要約】【課題】配設体（例えばセンターケース）の異なる装飾面を効率的に発光させることができ、発光装飾に関して部品点数を低減できる遊技機を提供する。【解決手段】遊技盤１１に配設される発光装飾可能なセンターケース１４を備える遊技機１において、センターケース１４は、その外形の一部を形成する装飾内壁部材５０及び前側装飾部材７０と、第１ＬＥＤ４４と第２ＬＥＤ４５とが配設されたＬＥＤ実装基板４６と、第２ＬＥＤ４５からの光が入射されて導光する導光部品６０と、を備え、装飾内壁部材５０は、第１ＬＥＤ４４の光進路方向に位置して当該第１ＬＥＤ４４からの光で発光する第１装飾面５１を有し、前側装飾部材７０は、装飾内壁部材５０とは別体であり、且つ、導光部品６０から出射された光で発光する第２装飾面７１を有する。【選択図】図３
2014061321.tif 000002
【特許請求の範囲】
【請求項１】
被配設体に配設される発光装飾可能な配設体を備える遊技機において、前記配設体は、その外形の少なくとも一部を形成する第１，第２外形部材と、第１発光手段と第２発光手段とが配設された基板と、前記第２発光手段からの光が入射されて導光する導光手段と、を備え、前記第１外形部材は、前記第１発光手段の光進路方向に位置して当該第１発光手段からの光で発光する第１装飾面を有し、前記第２外形部材は、前記第１外形部材とは別体であり、且つ、前記導光手段から出射された光で発光する第２装飾面を有することを特徴とする遊技機。
【請求項２】
前記導光手段は、前記第２発光手段からの光を前記第２装飾面に導くように光進路方向を変更するものであることを特徴とする請求項１に記載の遊技機。
【請求項３】
前記基板は平板状であり、当該基板の一方の平面に前記第１発光手段及び前記第２発光手段を配設していることを特徴とする請求項１又は２に記載の遊技機。
【請求項４】
前記第１外形部材は、前記基板を支持する基板支持手段と、当該基板支持手段に支持された前記基板の前記第２発光手段からの光が入射されるように前記導光手段を支持する導光用支持手段と、を備えることを特徴とする請求項１から３の何れかに記載の遊技機。
【請求項５】
前記被配設体は、前後方向に開口した開口部が形成された遊技盤であり、前記配設体は、前記遊技盤の前記開口部箇所に配設される枠体であり、前記枠体は、前記開口部箇所に前記遊技盤の前側から取り付けられる前構成体と、前記開口部箇所に当該遊技盤の後側から取り付けられる後構成体とを備え、前記基板は前記後構成体に配設され、前記第２外形部材は前記前構成体に取り付け又は一体的に形成されていることを特徴とする請求項１から４の何れかに記載の遊技機。
【請求項６】
前記第２外形部材は前記導光手段を一体的に形成していることを特徴とする請求項１から５の何れかに記載の遊技機。
【発明の詳細な説明】
【技術分野】
【０００１】
本発明は、パチンコ機等の遊技機に関するものである。
【背景技術】
【０００２】
パチンコ機等の遊技機では、遊技盤の前側にガイドレールで取り囲まれた遊技領域が設けられており、画像表示手段（液晶ディスプレイ等）を配したセンターケースが遊技領域の略中央箇所に配置され、センターケースに電飾部品が配置されたものがある。この電飾部品としては、複数個のＬＥＤ（発光ダイオード）が実装されたＬＥＤ実装基板と、このＬＥＤ実装基板の実装面側に配設されてＬＥＤからの光を導光する導光体と、この導光体の出射面側に配設された光透過性カバーとを備え、光透過性カバーを発光させて装飾表示を行うものがある（例えば特許文献１）。
【先行技術文献】
【特許文献】
【０００３】
【特許文献１】特開２００９−５０４５７号公報
【発明の概要】
【発明が解決しようとする課題】
【０００４】
ところで、この種の遊技機では、遊技盤（被配設体）に配設されるセンターケース（配設体）は、遊技者が注目する画像表示手段の表示画面の周縁箇所に位置しており、遊技機の美的印象を左右する構成であることから、当該センターケースの各装飾面（例えばに異なる方向を向く各装飾面）にそれぞれ電飾部品を配設することで装飾性を高めて遊技者の遊技意欲を起こさせることが考えられる。しかしながらこの場合には、センターケースに配置される電飾部品が多くなり過ぎてしまい、発光装飾に関して部品点数の増加が懸念される。
【０００５】
本発明は、上記事情に鑑みてなされたものであり、配設体（例えばセンターケース）の異なる装飾面を効率的に発光させることができ、発光装飾に関して部品点数を低減できる遊技機を提供することを目的とする。
【課題を解決するための手段】
【０００６】
本発明は、被配設体１１（又は４）に配設される発光装飾可能な配設体１４（又は８０）を備える遊技機において、前記配設体１４（又は８０）は、その外形の少なくとも一部を形成する第１，第２外形部材５０，７０と、第１発光手段４４と第２発光手段４５とが配設された基板４６と、前記第２発光手段４５からの光が入射されて導光する導光手段６０と、を備え、前記第１外形部材５０は、前記第１発光手段４４の光進路方向に位置して当該第１発光手段４４からの光で発光する第１装飾面５１を有し、前記第２外形部材７０は、前記第１外形部材５０とは別体であり、且つ、前記導光手段６０から出射された光で発光する第２装飾面７１を有するものである。
【０００７】
また、前記導光手段６０は、前記第２発光手段４５からの光を前記第２装飾面７１に導くように光進路方向を変更するものとしても良い。例えば、導光手段６０は、前記第２発光手段４５からの光が入射される入射面６１と、光を出射する出射面６２と、前記入射面６１への入射光の進行方向を異なる方向に変更して前記出射面６２に導く曲部６３と、を備える構成が挙げられる。また、導光手段６０は、その出射面６２側が入射面６１側よりも大きい末広がり形状としてもよい。また、前記第２装飾面７１は、前記第２発光手段４５自体の光照射で発光可能な領域以外の領域であるとしてもよい。
【０００８】
また、第１，第２装飾面５１，７１としては、例えば角度が相異なる第１，第２装飾面５１，７１や、位置が相異なる第１，第２装飾面５１，７１が挙げられる。例えば、角度が相異なる第１，第２装飾面５１，７１としては、例えば配設体１４（又は８０）の正面と側面（この側面は配設体１４（又は８０）の正面に開口を有する場合にその開口内周側面を含む。以下同じ。）、配設体１４（又は８０）の正面と平面、配設体１４（又は８０）の正面と底面、配設体１４（又は８０）の側面と平面、配設体１４（又は８０）の側面と底面などの場合が挙げられる。また、位置が相異なる第１，第２装飾面５１，７１としては、第２発光手段４５の光出射方向上で位置が前後する前側装飾面と後側装飾面、言い換えれば基板４６の第１，第２発光手段４４，４５の配設面からの最短距離が異なる位置の前側装飾面と後側装飾面が挙げられる。
【０００９】
また、前記第１，第２外形部材５０，７０は、前記配設体１４（又は８０）を見た状態において前記第１，第２装飾面５１，７１の一部が重複するとともに、当該第１，第２装飾面５１，７１の前記基板４６からの距離が相異なるように配設されているとしてもよい。
【００１０】
前記基板４６は平板状であり、当該基板４６の一方の平面に前記第１発光手段４４及び前記第２発光手段４５を配設しても良い。また、また、前記基板４６は平板状であり、且つ、一方の平面に前記第１発光手段４４を配設し、当該一方の平面の裏面側である他方の平面に前記第２発光手段４５を配設してもよい。
【００１１】
また、前記第１外形部材５０は、前記基板４６を支持する基板支持手段５２と、当該基板支持手段５２に支持された前記基板４６の前記第２発光手段４５からの光が入射されるように前記導光手段６０を支持する導光用支持手段５７と、を備えるようにしてもよい。
【００１２】
また、前記被配設体１１は、前後方向に開口した開口部１１ａが形成された遊技盤１１であり、前記配設体１４は、前記遊技盤１１の前記開口部１１ａ箇所に配設される枠体１４であり、前記枠体１４は、前記開口部１１ａ箇所に前記遊技盤１１の前側から取り付けられる前構成体２１と、前記開口部１１ａ箇所に当該遊技盤１１の後側から取り付けられる後構成体２３とを備え、前記基板４６は前記後構成体２３に配設され、前記第２外形部材７０は前記前構成体２１に取り付け又は一体的に形成されている構成としてもよい。
【００１３】
また、前記被配設体４は、本体枠３の前面側に開閉可能な前側枠４であり、前記配設体８０は、前記前側枠４の前面所定箇所に配設される発光装飾部材８０であり、前記第１，第２外形部材８１，８２は、当該発光装飾部材８０の外形の少なくとも一部を形成し、前記前側枠４の前側箇所に位置する各部材であるとしてもよい。
【００１４】
また、前記第２外形部材７０は前記導光手段６０を一体的に形成しているとしてもよい。
【発明の効果】
【００１５】
本発明によれば、配設体（例えばセンターケース）の異なる装飾面を効率的に発光させることができ、発光装飾に関して部品点数を低減できる遊技機を提供することができる。
【図面の簡単な説明】
【００１６】
【図１】本発明の第１の実施形態を示すパチンコ機の斜視図である。
【図２】同パチンコ機の正面図である。
【図３】同じくパチンコ機のセンターケース箇所のＡ−Ａ線断面図である。
【図４】同じくセンターケース箇所のＢ−Ｂ線断面図である。
【図５】図３に示したセンターケース左部箇所の拡大断面図である。
【図６】図３に示したセンターケース右部箇所の拡大断面図である。
【図７】変形例のセンターケース左部箇所の拡大断面図である。
【図８】変形例のセンターケース左部箇所の拡大断面図である。
【図９】（ａ）、（ｂ）は変形例のセンターケース左部箇所の概略断面図である。
【図１０】（ａ）〜（ｃ）は変形例のセンターケース左部箇所の概略断面図である。
【図１１】変形例の遊技機の一部断面図である。
【発明を実施するための形態】
【００１７】
以下、本発明の実施形態を図面に基づいて詳述する。図１〜図６は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１８】
前面板５には、その前側に、発射手段（図示省略）に供給するための遊技球を貯留する貯留皿６、発射手段を作動させるための発射ハンドル７等が設けられている。
【００１９】
ガラス扉４に設けられた窓孔８には例えば２枚のガラス板９（透明板）が嵌め込まれ、その後側には図２に示す遊技盤１１（被配設体）が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３に、センターケース１４（配設体）、普通図柄始動手段１５、特別図柄始動手段１６、大入賞手段１７、普通入賞手段１８等の各種遊技部品が配置されている。なお、ガラス扉４の閉状態では、ガラス板９は、遊技盤１１の遊技領域１３に対して遊技球が流下可能な間隔（遊技球の直径よりも大きく遊技球２個分よりも小さい間隔）を空けて位置している。
【００２０】
センターケース１４は、図３に示すように、遊技盤１１の前後方向に開口した装着孔１１ａ（開口部）に対して前側から着脱自在に装着される前構造体２１（前構成体）と、液晶式その他の画像表示手段２２が装着され且つ前構造体２１に対応して遊技盤１１の裏側に着脱自在に装着される後構造体２３  （後構成体）とを備えている。
【００２１】
前構造体２１は、図２に示すように、装着孔１１ａに沿って配置される環状の装飾枠２４と、この装飾枠２４の下部側に沿って左右方向に配置され且つ入球口２５に入球してワープ通路２５ａを通って案内された遊技球を自由に転動させて前側に落下させるステージ２６とを備え、装飾枠２４上に、普通図柄表示手段２７、特別図柄表示手段２８、普通保留個数表示手段２９等が設けられている。なお、普通図柄表示手段２７、特別図柄表示手段２８又は普通保留個数表示手段２９の少なくとも一つを、装飾枠２４ではなく、画像表示手段２２において画像表示するようにしても良いし、遊技領域１３外の所定箇所に設けるようにしても良い。
【００２２】
また、後構造体２３は、その後側に装着される画像表示手段２２の表示画面２２ａに対応する例えば矩形状の表示窓３１が形成された背壁部３２と、この背壁部３２の外縁側から前向きに延設された周壁部３３とを一体に備えている。なお、画像表示手段２２は、演出図柄表示手段３５と特別保留個数表示手段３６とを備えている。この特別保留個数表示手段３６を装飾枠２４に設けるようにしても良いし、遊技領域１３外の所定箇所に設けるようにしても良い。
【００２３】
画像表示手段２２は、図３に示すように、後構造体２３によって装着孔１１ａ後方に形成される開口空間２３ａを介して表示画面２２ａが視認可能に配設されている。
【００２４】
ところで、図２に示すように、普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２５】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２９がその発光個数により当たり判定乱数値の記憶個数（以下、普通保留個数という）を表示して、その時点での普通保留個数を遊技者に報知するようになっている。
【００２６】
特別図柄始動手段１６は、特別図柄表示手段２８による図柄変動を開始させるためのもので、例えば上下２つの特別始動口１６ａ，１６ｂを備え、センターケース１４の下側等に配置されている。上側の特別始動口１６ａは開閉手段等を有しない非作動式入賞口、下側の特別始動口１６ｂは開閉手段３８により開閉可能な作動式入賞口で、普通図柄表示手段２７の変動後の停止図柄が当たり態様となって普通利益状態が発生したときに、開閉手段３８が所定時間、所定回数だけ閉状態から開状態に変化するように構成されている。
【００２７】
特別図柄表示手段２８は、１個又は複数個、例えば１個の特別図柄（遊技図柄）を変動表示可能な７セグメント式等の表示手段により構成されており、特別図柄始動手段１６の特別始動口１６ａ，１６ｂの何れかに遊技球が入賞することを条件に特別図柄を所定時間変動表示して、特別始動口１６ａ，１６ｂへの入賞時に取得された大当たり判定乱数値が予め定められた大当たり判定値と一致する場合には所定の大当たり態様で、それ以外の場合には外れ態様で停止するようになっている。
【００２８】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２９】
また、特別図柄の変動表示中、又は後述する特別利益状態中に特別始動口１６ａ，１６ｂに遊技球が入賞した場合には、その入賞時に取得された大当たり判定乱数値等が夫々所定の上限保留個数、例えば各４個を限度として記憶されると共に、特別保留個数表示手段３６が大当たり判定乱数値の記憶個数  （以下、特別保留個数という）を表示して、その時点での特別保留個数を遊技者に報知するようになっている。
【００３０】
演出図柄表示手段３５は、例えば特別図柄表示手段２８による特別図柄の変動表示と並行して演出図柄を変動表示するもので、１個又は複数個、例えば左右方向に３個の演出図柄を例えば各種の演出画像と共に画像表示手段２２の表示画面２２ａに変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００３１】
特別保留個数表示手段３６は、特別保留個数を報知するもので、表示画面２２ａ上の所定箇所に特別保留個数分のシンボルを表示するようになっている。
【００３２】
大入賞手段１７は、遊技球が入賞可能な開状態と入賞不可能な閉状態とに切り換え可能な開閉板３９を備えた作動式入賞手段で、特別図柄表示手段２８の変動後の特別図柄が大当たり態様となることに基づいて特別利益状態が発生したときに、開閉板３９が所定の開放パターンに従って前側に開放して、その上に落下した遊技球を内部へと入賞させるようになっている。
【００３３】
また、前構造体２１は、図２、図３に示すように、そのステージ２６の奥側端部箇所に位置するように透明薄板状の透明区画部材４０が取り付けられている。この透明区画部材４０は、ステージ２６を転動する遊技球が当該ステージ２６よりも奥側に進入することを阻止するように当該ステージ２６とそれよりも奥側とを区画するものである。つまり、透明区画部材４０は、ステージ２６を転動する遊技球が開口空間２３ａに進入することを阻止するようにステージ２６と開口空間２３ａとを区画している。
【００３４】
センターケース１４は、図２に示すように、その正面視で左側箇所に左部電飾手段４１を備え、その正面視で上部右端側箇所に右上部電飾手段４２を備えている。また、センターケース１４は、その正面視で中央箇所に、画像表示手段２２の表示画面２２ａが視認可能な視認開口部４３を備えている。
【００３５】
遊技機１は、遊技動作を統括的に制御する主制御基板（図示省略）と、この主制御基板からのコマンドに基づいて、画像表示手段２２の表示制御（例えば演出図柄表示手段３５の表示制御など）を行うサブ制御基板（図示省略）とを備えている。このサブ制御基板は、画像表示手段２２の表示内容に応じて、ガラス扉４に配設されたスピーカ（図示省略）から所定の音声（声、音楽、効果音など各種の音）を出力する制御も行うものとしてもよい。左部電飾手段４１及び右上部電飾手段４２は、サブ制御基板によって発光（電飾）制御されている。
【００３６】
左部電飾手段４１は、図２、図３に示すように、第１ＬＥＤ（発光ダイオード）４４と第２ＬＥＤ  （発光ダイオード）４５とを実装したＬＥＤ実装基板４６と、このＬＥＤ実装基板４６の前方に位置する装飾内壁部材５０（第１外形部材）と、第２ＬＥＤ４５からの光が入射されて導光する導光部品６０（導光手段）と、導光部品６０の出射端側に位置する前側装飾部材７０（第２外形部材）と、を備えている。装飾内壁部材５０と前側装飾部材７０は、センターケース１４の外形のうち左側部分を構成するものである。
【００３７】
装飾内壁部材５０は、第１ＬＥＤ４４の光進路方向に位置して第１ＬＥＤ４４からの光で発光する第１装飾面５１を有している。なお、装飾内壁部材５０は、例えば、表面又は裏面の少なくとも一方を凹凸形状としたり、光拡散粒子を内在した樹脂成形品としたりすることなどで、その全体が発光するようにしてもよく、この場合には当該装飾内壁部材５０の外側全体が第１装飾面５１となる。
【００３８】
また、前側装飾部材７０は、装飾内壁部材５０とは別体であり、導光部品６０から出射された光で発光する第２装飾面７１を有している。この前側装飾部材７０は、例えば第２装飾面７１を形成する部品を、本体側部品に装着（係止、接着、締結、嵌合、スライド支持、嵌合など）している。この第２装飾面７１は、第２ＬＥＤ４５自体の光照射で発光可能な領域以外の領域である。
【００３９】
また、右上部電飾手段４２も前述した左部電飾手段４１と基本的に同様の構成としている。具体的には、右上部電飾手段４２は、図２、図３に示すように、第１ＬＥＤ４４と第２ＬＥＤ４５とを実装したＬＥＤ実装基板４６と、このＬＥＤ実装基板４６の前方に位置する装飾内壁部材５０（第１外形部材）と、第２ＬＥＤ４５からの光が入射されて導光する導光部品６０（導光手段）と、導光部品６０の出射端側に位置する前側装飾部材７０（第２外形部材）と、を備えている。装飾内壁部材５０と前側装飾部材７０は、センターケース１４の外形のうち右上側部分を構成するものである。
【００４０】
なお、右上部電飾手段４２における装飾内壁部材５０及び前側装飾部材７０についても、前述した左部電飾手段４１と同様であるため、ここでの詳細な説明を省略する。
【００４１】
ＬＥＤ実装基板４６は、図４〜図６に示すように、平板状であり、一方の平面（装飾内壁部材５０を向く側：実装面）に第１ＬＥＤ４４及び第２ＬＥＤ４５を実装している。本実施形態では、図３、図４に示すように、導光部品６０の入射面６１側に位置するＬＥＤのみが第２ＬＥＤ４５であり、それ以外のＬＥＤは全て第１ＬＥＤ４４である。なお、導光部品６０の入射面６１側に複数のＬＥＤを配置し、これらのＬＥＤからの光が導光部品６０に入射される構成を採用してもよい。
【００４２】
導光部品６０は、図５、図６に示すように、第２ＬＥＤ４５からの光を第２装飾面７１に導くように光進路方向を変更するものである。具体的には、導光部品６０は、第２ＬＥＤ４５からの光が入射される入射面６１と、光を出射する出射面６２と、入射面６１への入射光の進行方向を異なる方向に変更して出射面６２に導くベンド部６３（曲部）と、を備えている。また、導光部品６０は、図４〜図６に示すように、その出射面６２側が入射面６１側よりも大きい末広がり形状としている。出射面６２の形状は、例えば第２装飾面７１の形状に対応した形状としてもよい。なお、入射面６１と出射面６２とが同一大きさとしてもよいし、出射面６２が入射面６１よりも小さいとしてもよい。
【００４３】
装飾内壁部材５０は、図３に示すように、ＬＥＤ実装基板４６を支持する基板支持部材５２（基板支持手段）と、この基板支持部材５２に支持されたＬＥＤ実装基板４６の第２ＬＥＤ４５からの光が入射されるように導光部品６０を支持する部品支持部５７（導光用支持手段）と、を備えている。まず、部品支持部５７について説明し、その後に基板支持部材５２について説明する。
【００４４】
図３、図４に示すように、導光部品６０は、例えばベンド部６３近傍の外周箇所に沿って外方に突出した鍔部６４を備えている。この鍔部６４は、図４に示すように、その一端側が次に説明する装飾内壁部材５０側の装着溝５０ｂにスライド装着可能な厚みとなっており、その他端側（前記一端側とは反対側）に貫通孔６４ａが形成されている。
【００４５】
部品支持部５７は、図３、図４に示すように、導光部品６０の鍔部６４の一端側がスライド装着される、装飾内壁部材５０の背面側に形成された装着溝５０ｂと、鍔部６４の他端側とネジ止めされる、装飾内壁部材５０の背面側に形成された導光用ボス５０ｃと、導光部品６０の出射面６２側が装飾内壁部材５０から突出した状態となるように挿入される挿入口５８とを備えている。この挿入口５８は、導光部品６０の出射面６２側よりも大きい開口としている。具体的には、導光部品６０の出射面６２側を挿入口５８に挿入し、当該導光部品６０での鍔部６４の一端側を装飾内壁部材５０の装着溝５０ｂにスライド装着し、導光部品６０での鍔部６４の他端側の貫通孔６４ａと装飾内壁部材５０の導光用ボス５０ｃとを位置合わせした状態とし、鍔部６４の貫通孔６４ａに挿入したネジ５０ｄを、導光用ボス５０ｃの先端面に形成されたネジ穴（図示省略）に螺入することで、導光部品６０が装飾内壁部材５０にネジ止め固定されている。
【００４６】
基板支持部材５２は、例えば透明（半透明や有色としてもよい）とした光透過性の樹脂で成形された部品である。この基板支持部材５２は、図４〜図６に示すように、ＬＥＤ実装基板４６の実装面と対向し当該実装面と対応する大きさの平板部５３と、当該平板部５３の一端側に形成され且つ当該ＬＥＤ実装基板４６の一端側を挟持する挟持部５４と、当該平板部５３の他端側でＬＥＤ実装基板４６側に突出形成されたボス部５５と、平板部５３の他端側から外側に延出した延出部５６とを備えている。
【００４７】
平板部５３には、ＬＥＤ実装基板４６の第１ＬＥＤ４４及び第２ＬＥＤ４５に対応する各箇所に、そのＬＥＤの大きさに対応する大きさの円形の孔部５３ａ（角形、多角形、星形等の孔としてもよい）がそれぞれ形成されている。
【００４８】
また、平板部５３は、図４に示すように、当該平板部５３を装飾内壁部材５０にネジ止めするための貫通孔５３ｂが例えば２個形成されている。装飾内壁部材５０は、その背面箇所に背後方向に突出する支持ボス５０ａが例えば２個形成されている。この支持ボス５０ａは、その先端面にネジ穴（図示省略）が形成されている。装飾内壁部材５０の支持ボス５０ａに平板部５３の貫通孔５３ｂを位置させた状態とし、この貫通孔５３ｂに挿入したネジを支持ボス５０ａの先端面のネジ穴に螺入することで、基板支持部材５２が装飾内壁部材５０に支持固定される。
【００４９】
図５、図６に示すように、ＬＥＤ実装基板４６は、平板部５３のボス部５５に対応する箇所に貫通孔４６ａが形成されている。なお、図３では、説明の便宜上の理由から、ボス部５５及びネジ５９の図示を省略している。平板部５３のボス部５５は、その先端面にネジ穴（図示省略）が形成されている。そして、図５、図６に示すように、ＬＥＤ実装基板４６の一端側を挟持部５４に差し入れて挟持された状態とし、ＬＥＤ実装基板４６の貫通孔４６ａがボス部５５に位置させて、当該ＬＥＤ実装基板４６の実装面側における、貫通孔４６ａの周囲箇所をボス部５５に当接させる。そして、ＬＥＤ実装基板４６の貫通孔４６ａにネジ５９を挿入し、このネジ５９をボス部５５先端のネジ穴に螺入することで、ＬＥＤ実装基板４６が基板支持部材５２にネジ止め固定されている。
【００５０】
後構造体２３は、図５、図６に示すように、装飾内壁部材５０にネジ止めされた状態の基板支持部材５２を取り付けるための取付ボス２３ｂを備えている。この取付ボス２３ｂは、当該後構造体２３の背壁部３２から前方に突出し、この突出先端面にネジ穴（図示省略）が形成さえたボス部材である。基板支持部材５２の延出部５６には、ネジ５０ｅが挿入される貫通孔５６ａが形成されている。そして、基板支持部材５２の延出部５６の貫通孔５６ａにネジ５０ｅを挿入し、このネジ５０ｅを取付ボス２３ｂのネジ穴に螺入することで基板支持部材５２の延出部５６が後構造体２３の取付ボス２３ｂにネジ止めされ、基板支持部材５２が後構造体２３に固定される。
【００５１】
つまり、図３に示すように、導光部品６０を装飾内壁部材５０に取り付け、続いて基板支持部材５２を装飾内壁部材５０に取り付ける。そして、ＬＥＤ実装基板４６を基板支持部材５２に取り付ける。このように基板支持部材５２（ＬＥＤ実装基板４６がネジ止め済みのもの）と導光部品６０とが取り付けられた状態の装飾内壁部材５０を後構造体２３に取り付ける。そして、装飾内壁部材５０を取り付けた状態の後構造体２３を、遊技盤１１の背面に取り付ける。なお、上述した順とは逆の順序で取り付けるようにしたり、種々の手順で取り付けるようにしたりしてもよい。
【００５２】
次に、前側装飾部材７０について説明する。前側装飾部材７０は、図３に示すように、装飾枠２４の前面の例えば左側箇所及び上部右端側箇所にそれぞれ取り付けられ、例えば光透過性有色（透明としてもよい）樹脂で成形された装飾カバー体である。
【００５３】
具体的には、前側装飾部材７０は、図３〜図５に示すように、その背面側（装飾枠２４に対向する側）に、当該装飾枠２４に向けて突出するボス部７３が形成されている。このボス部７３の先端面には、ネジ穴（図示省略）が形成されている。また、装飾枠２４は、前側装飾部材７０の取り付け箇所に、皿ザグリ穴が形成されている。そして、装飾枠２４の皿ザグリ穴に皿ネジ７２を挿入し、この皿ネジ７２を前側装飾部材７０のボス部７３先端のネジ穴に螺入することで、前側装飾部材７０が装飾枠２４の前面にネジ止め固定されている。
【００５４】
本実施形態では、前側装飾部材７０は、皿ネジ７２（他の種類のネジであってもよい）で装飾枠２４にネジ止めされているが、係止固定、嵌合（遊嵌も含む）固定、接着固定、スライド支持固定、打ち付け固定等、種々の固定方法を採用してもよい。
【００５５】
ここで、左部電飾手段４１による電飾について図５を用いて説明する。なお、図５では、導光部品６０で導光される光を例示している関係上から、図３に示した鍔部６４の図示を省略している（図６も同様）。左部電飾手段４１は、図５に示すように、ＬＥＤ実装基板４６の第１ＬＥＤ４４からの光が装飾内壁部材５０の第１装飾面５１に照射され、当該第１装飾面５１が発光する。また、ＬＥＤ実装基板４６の第２ＬＥＤ４５からの光が導光部品６０の入射面６１に入射される。この導光部品６０に入射された光は、ベンド部６３によってその光進路方向が変更されて出射面６２から出射される。導光部品６０の出射面６２からの光が、前側装飾部材７０の第２装飾面７１に照射され、第２装飾面７１が発光する。上述したように、第１ＬＥＤ４４の光進路方向に位置する装飾内壁部材５０の第１装飾面５１と、第２ＬＥＤ４５自体の光進路方向に位置しない前側装飾部材７０の第２装飾面７１（第１装飾面５１とは異なる装飾面）とが、単一のＬＥＤ実装基板４６により発光される。
【００５６】
右上部電飾手段４２による電飾についても前述した左部電飾手段４１と基本的に同様であるため、その詳細な説明を省略するが、図６に示すように、第１ＬＥＤ４４の光進路方向に位置する装飾内壁部材５０の第１装飾面５１と、第２ＬＥＤ４５自体の光進路方向に位置しない前側装飾部材７０の第２装飾面７１（第１装飾面５１とは異なる装飾面）とが、単一のＬＥＤ実装基板４６により発光される。
【００５７】
この実施形態では、遊技盤１１に配設される発光装飾可能なセンターケース１４を備える遊技機１において、センターケース１４は、その外形の一部を形成する装飾内壁部材５０及び前側装飾部材７０と、第１ＬＥＤ４４と第２ＬＥＤ４５とが配設されたＬＥＤ実装基板４６と、第２ＬＥＤ４５からの光が入射されて導光する導光部品６０と、を備え、装飾内壁部材５０は、第１ＬＥＤ４４の光進路方向に位置して当該第１ＬＥＤ４４からの光で発光する第１装飾面５１を有し、前側装飾部材７０は、装飾内壁部材５０とは別体であり、且つ、導光部品６０から出射された光で発光する第２装飾面７１を有している。したがって、ＬＥＤ実装基板４６の第１ＬＥＤ４４によって装飾内壁部材５０の第１装飾面５１を発光表示でき、当該ＬＥＤ実装基板４６の第２ＬＥＤ４５と導光部品６０によって装飾内壁部材５０とは別体の前側装飾部材７０の第２装飾面７１を発光させることができるので、センターケース１４の異なる装飾面（第１装飾面５１及び第２装飾面７１）を効率的に発光させることができる。また、同一のＬＥＤ実装基板４６によってセンターケース１４の装飾内壁部材５０及び前側装飾部材７０の両方を発光させることができ、装飾内壁部材５０及び前側装飾部材７０ごとに個別にＬＥＤ実装基板４６及び配線を設ける必要がないので、発光装飾に関して部品点数を低減できる。
【００５８】
また、センターケース１４は単一のＬＥＤ実装基板４６で異なる装飾面（第１装飾面５１及び第２装飾面７１）を発光させることができるので、装飾面毎に個別にＬＥＤ実装基板４６を配置する作業を不要にでき、ＬＥＤ実装基板４６の取り付け作業及びその配線の敷設（引き回し）作業を低減できる。よって、センターケース１４（例えばセンターケース）の組み立て手間を低減できる。
【００５９】
また、導光部品６０は、第２ＬＥＤ４５からの光を第２装飾面７１に導くので、導光部品６０により第２装飾面７１をより明るく発光させることができる。
【００６０】
また、第２装飾面７１は、第２ＬＥＤ４５自体の光照射で発光可能な領域以外の領域であり、導光部品６０は、第２ＬＥＤ４５からの光を第２装飾面７１に導くように光進路方向を変更するものとしているので、第２ＬＥＤ４５自体により発光可能な領域（本来領域）以外の領域である第２装飾面７１に、当該第２ＬＥＤ４５からの光を導光部品６０により導くことができ、第２ＬＥＤ４５自体による光照射では光到達が不可又は不十分である第２装飾面７１を好適に発光させることができる。例えば角度が相異なる第１，第２装飾面５１，７１や、位置が相異なる第１，第２装飾面５１，７１を効率的に発光させることができる。
【００６１】
また、導光部品６０は、その出射面６２側が入射面６１側よりも大きい末広がり形状としているので、導光部品６０の入射面６１よりも大きい出射面６２から光を出射でき、より大きな第２装飾面７１を発光させることができる。
【００６２】
また、ＬＥＤ実装基板４６は平板状であり、当該ＬＥＤ実装基板４６の一方の平面に第１ＬＥＤ４４及び第２ＬＥＤ４５を配設しているので、特殊形状のＬＥＤ実装基板４６（屈曲形状のＬＥＤ実装基板、円弧状のＬＥＤ実装基板等）を使う必要がなく、平板状のＬＥＤ実装基板４６でセンターケース１４の異なる装飾面（第１，第２装飾面５１，７１）を発光させることができる。
【００６３】
また、装飾内壁部材５０は、ＬＥＤ実装基板４６を支持する基板支持部材５２と、当該基板支持部材５２に支持されたＬＥＤ実装基板４６の第２ＬＥＤ４５からの光が入射されるように導光部品６０を支持する部品支持部５７と、を備える。したがって、装飾内壁部材５０の基板支持部材５２及び部品支持部５７にＬＥＤ実装基板４６及び導光部品６０を取り付けるだけで両者（第２ＬＥＤ４５と導光部品６０）の位置合わせが完了しているので、装飾内壁部材５０の組み付けの際に第２ＬＥＤ４５と導光部品６０との位置合わせ調整する必要がなく、装飾内壁部材５０を単に組み付けるだけでよく、組み付け作業を簡易に行うことができる。
【００６４】
また、遊技盤１１は、前後方向に開口した装着孔１１ａが形成された遊技盤１１であり、センターケース１４は、遊技盤１１の装着孔１１ａ箇所に配設される枠体であり、センターケース１４は、遊技盤１１の装着孔１１ａ箇所に当該遊技盤１１の前側から取り付けられる前構造体２１と、遊技盤１１の装着孔１１ａ箇所に当該遊技盤１１の後側から取り付けられる後構造体２３とを備え、ＬＥＤ実装基板４６は後構造体２３に配設され、前側装飾部材７０は前構造体２１に取り付けている。例えば前構造体２１側に電気部品（例えばＬＥＤ実装基板）を配設する構成の場合には、前構造体２１を遊技盤１１の前側に取り付ける際に、前構造体２１側の配線を前構造体２１と遊技盤１１との間に噛み込むことがないように注意して作業を行わなければならないし、前構造体２１側の配線が遊技盤１１の正面視で遊技者に見えないように後構造体２３側に敷設しなければならないことから、センターケース１４の遊技盤１１への組み付け作業が煩雑でその作業に時間がかかってしまう。これに対して、本実施形態では、第１ＬＥＤ４４と第２ＬＥＤ４５とを実装したＬＥＤ実装基板４６をセンターケース１４の後構造体２３に配設しており、当該センターケース１４の前構造体２１側にはＬＥＤ実装基板４６や配線などの電気部品を配設する必要がないので、前構造体２１についてはＬＥＤ実装基板４６や配線などを気にせずに単純に遊技盤１１に取り付けることができ、センターケース１４の遊技盤１１への組み付け作業が簡易にでき、作業時間を短縮できる。
【００６５】
以上、本発明の実施形態について詳述したが、本発明はこれらの実施形態に限定されるものではなく、本発明の趣旨を逸脱しない範囲で種々の変更が可能である。
【００６６】
また、図７に示すように、装飾内壁部材５０及び前側装飾部材７０は、センターケース１４を見た状態において第１，第２装飾面５１，７１の一部が重複するとともに、当該第１，第２装飾面５１，７１のＬＥＤ実装基板４６からの距離が相異なるように配設してもよい。この場合には、センターケース１４を見た状態において一部が重複するとともに、ＬＥＤ実装基板４６からの距離が相前後する第１，第２装飾面５１，７１を、単一のＬＥＤ実装基板４６により発光させることができる。また、発光態様の第１，第２装飾面５１，７１の一部が重なる状態で且つ当該第１，第２装飾面５１，７１を相前後した立体的な発光態様を行うことができ、第１装飾面５１と第２装飾面７１とこれらの重複面とでグラデーション（階調）を持たせた装飾表示を行うことができる。
【００６７】
また、前述の実施形態では、図４に示すように、導光部品６０は、前側装飾部材７０とは別体としているが、図８に示すように、前側装飾部材７０は導光部品６０を一体的に形成してもよい。この場合には、前側装飾部材７０と導光部品６０が一体形成されているので、前側装飾部材７０と導光部品６０との位置合わせが完全に不要であり、前側装飾部材７０及び導光部品６０で単一部品（１点）となっており、部品点数もさらに減少させることができる。
【００６８】
また、前述の実施形態では、図３に示すように、角度が相異なる第１，第２装飾面５１，７１としている。概して言えば、遊技機１の平面視でガラス板９のガラス面を基準（０度）とすると、装飾内壁部材５０の第１装飾面５１が例えば２０度で、前側装飾部材７０の第２装飾面７１は例えば９０度である。言い換えれば、本実施形態では、装飾内壁部材５０の第１装飾面５１がセンターケース１４の正面で、前側装飾部材７０の第２装飾面７１はセンターケース１４の内周左側面としているが、これ以外の組み合わせを採用してもよい。例えば、センターケース１４の正面と側面（左側面又は右側面）、センターケース１４の正面と平面、センターケース１４の正面と底面、センターケース１４の側面と平面、センターケース１４の側面と底面などが挙げられる。また、センターケース１４以外の配設体（例えば、可動部材、特別図柄始動手段１６、大入賞手段１７、普通入賞手段１８）の正面と側面（この側面は配設体の正面に開口を有する場合にその開口内周側面を含む。以下同じ。）、正面と平面、正面と底面、側面と平面、側面と底面などとしてもよい。
【００６９】
また、図９（ａ）に示すように、装飾内壁部材５０の第１装飾面５１及び前側装飾部材７０は角度が同一で、装飾内壁部材５０と前側装飾部材７０とが別体としてもよい。この場合でも、ＬＥＤ実装基板４６の第１ＬＥＤ４４によって装飾内壁部材５０の第１装飾面５１を発光表示でき、当該ＬＥＤ実装基板４６の第２ＬＥＤ４５と導光部品６０によって装飾内壁部材５０とは別体の前側装飾部材７０の第２装飾面７１（第２ＬＥＤ４５自体では光照射できない装飾面）を発光させることができるので、センターケース１４の異なる装飾面（第１装飾面５１及び第２装飾面７１）を効率的に発光させることができる。また、同一のＬＥＤ実装基板４６によってセンターケース１４の装飾内壁部材５０及び前側装飾部材７０の両方を発光させることができ、装飾内壁部材５０及び前側装飾部材７０ごとに個別にＬＥＤ実装基板４６及び配線を設ける必要がないので、発光装飾に関して部品点数を低減できる。また、センターケース１４は単一のＬＥＤ実装基板４６で異なる装飾面（第１装飾面５１及び第２装飾面７１）を発光させることができるので、装飾面毎に個別にＬＥＤ実装基板４６を配置する作業を不要にでき、ＬＥＤ実装基板４６の取り付け作業及びその配線の敷設（引き回し）作業を低減できる。よって、センターケース１４（例えばセンターケース）の組み立て手間を低減できる。
【００７０】
また、図９（ｂ）に示すように、位置が相異なる第１，第２装飾面５１，７１として、第２ＬＥＤ４５の光出射方向上で位置が前後する前側装飾面と後側装飾面、言い換えればＬＥＤ実装基板４６の第１ＬＥＤ４４，第２ＬＥＤ４５の配設面からの最短距離が異なる位置の前側装飾面と後側装飾面を採用してもよい。この場合でも、センターケース１４の相異なる位置の装飾面（第１装飾面５１及び第２装飾面７１）を効率的に発光させることができる。また、同一のＬＥＤ実装基板４６によってセンターケース１４の装飾内壁部材５０及び前側装飾部材７０の両方を発光させることができ、装飾内壁部材５０及び前側装飾部材７０ごとに個別にＬＥＤ実装基板４６及び配線を設ける必要がないので、発光装飾に関して部品点数を低減できる。
【００７１】
また、図１０（ａ）に示すように、ＬＥＤ実装基板４６は平板状であり、且つ、一方の平面に第１ＬＥＤ４４を配設し、当該一方の平面の裏面側である他方の平面に第２ＬＥＤ４５を配設してもよい。第１ＬＥＤ４４からの光でセンターケース１４の要部箇所における左側面及び正面が発光し、第２ＬＥＤ４５からの光が導光部品６０によって第２装飾面７１に導かれ、当該要部箇所の右側面が発光している。
【００７２】
また、図１０（ｂ）に示すように、３つの装飾面を発光表示するようにしてもよい。例えば、ＬＥＤ実装基板４６は平板状であり、且つ、一方の平面に第１ＬＥＤ４４，第２ＬＥＤ４５を配設し、センターケース１４の要部箇所における正面（第１装飾面５１）が第１ＬＥＤ４４の光進路方向に位置し、この第１ＬＥＤ４４からの光で発光する。また、左側の第２ＬＥＤ４５自体の光進路方向上に位置しない装飾面である当該要部箇所の左側面は、左側の第２ＬＥＤ４５からの光が導光部品６０で導光されて発光する。また、右側の第２ＬＥＤ４５自体の光進路方向上に位置しない装飾面である当該要部箇所の右側面は、右側の第２ＬＥＤ４５からの光が導光部品６０で導光されて発光する。
【００７３】
また、図１０（ｃ）に示すように、２個以上の導光部品６０を採用してもよい。図１０（ｃ）は例えば左部電飾手段４１において２個の導光部品６０を採用した構成を図示している。ＬＥＤ実装基板４６は平板状であり、且つ、一方の平面に第１ＬＥＤ４４，第２ＬＥＤ４５を配設し、センターケース１４の左側箇所における左内周壁面（第１装飾面５１）が第１ＬＥＤ４４の光進路方向に位置し、この第１ＬＥＤ４４からの光で直接に発光する箇所と、第１ＬＥＤ４４からの光が導光部品６０で導光されて発光する箇所とが存在する。また、左側の第２ＬＥＤ４５自体の光進路方向上に位置しない前側装飾部材７０の第２装飾面７１は、第２ＬＥＤ４５からの光が導光部品６０で導光されて発光する。
【００７４】
また、前述した実施形態では、図２に示すように被配設体（例えば遊技盤１１）に配設される配設体（例えばセンターケース１４）を例に挙げて説明しているが、図１１に示すように被配設体としてのガラス扉４に配設される配設体としての装飾ランプ８０に採用することも可能である。図１１に示すように、ガラス扉４（前側枠、被配設体）は、前枠３（本体枠）の前面側に開閉可能であり、装飾ランプ８０（配設体）は、ガラス扉４の前面所定箇所に配設される発光装飾部材であり、第１カバー８１，第２カバー８２（第１，第２外形部材）は、当該装飾ランプ８０の外形を形成し（外形の少なくとも一部を形成するものであってもよい）、ガラス扉４の前側箇所に位置する各部材であるとしてもよい。例えば、ガラス扉４の前面所定箇所に配設される装飾ランプ８０に適用した場合であっても、装飾ランプ８０の異なる装飾面（第１装飾面５１及び第２装飾面７１）を効率的に発光させることができる。また、同一のＬＥＤ実装基板４６によって装飾ランプ８０の第１カバー８１（第１外形部材）及び第２カバー８２（第２外形部材）の両方を発光させることができ、第１カバー８１，第２カバー８２ごとに個別に基板及び配線を設ける必要がないので、発光装飾に関して部品点数を低減できる。
【００７５】
なお、導光部品６０の入射面６１及び出射面６２以外の外周箇所（一部箇所でもよい）に光反射手段（例えば、光反射層、光反射シートなど）を設け、入射面６１に入射された光が出射面６２以外の外周箇所から出射されないようにしてもよい。
【００７６】
また、前側装飾部材７０は、図３に示すように、前構造体２１に取り付けている（例えばネジ止めしている）が、前側装飾部材７０は前構造体２１に一体的に形成されたものとしてもよい。
【００７７】
また、前述の実施形態では、装飾内壁部材５０及び前側装飾部材７０（第１，第２外形部材）はセンターケース１４の外形の一部を形成するものであるが、センターケース１４の外形全部を形成するものであってもよい。
【００７８】
前述した実施形態では、サブ制御基板（図示省略）は左部電飾手段４１及び右上部電飾手段４２を発光（電飾）制御しているが、遊技動作を統括的に制御し且つサブ制御基板を制御する主制御基板（図示省略）が発光（電飾）制御してもよい。
【００７９】
また本発明は、アレンジボール機、雀球遊技機等の他の遊技機においても同様に実施することが可能である。
【００８０】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００８１】
３    前枠（本体枠）
４    ガラス扉（被配設体、前側枠）
１１    遊技盤（被配設体）
１１ａ  装着孔（開口部）
１４    センターケース（配設体、枠体）
２１    前構造体（前構成体）
２３    後構造体（後構成体）
４４    第１ＬＥＤ（第１発光手段）
４５    第２ＬＥＤ（第２発光手段）
４６    ＬＥＤ実装基板（基板）
５０    装飾内壁部材（第１外形部材）
５１    第１装飾面
５２    基板支持部材（基板支持手段）
５７    部品支持部（導光用支持手段）
６０    導光部品（導光手段）
６１    入射面
６２    出射面
６３    ベンド部（曲部）
７０    前側装飾部材（第２外形部材）
７１    第２装飾面
８０    装飾ランプ（配設体）
【図１】
2014061321.tif 000003
【図２】
2014061321.tif 000004
【図３】
2014061321.tif 000005
【図４】
2014061321.tif 000006
【図５】
2014061321.tif 000007
【図６】
2014061321.tif 000008
【図７】
2014061321.tif 000009
【図８】
2014061321.tif 000010
【図９】
2014061321.tif 000011
【図１０】
2014061321.tif 000012
【図１１】
2014061321.tif 000013
【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
発光装飾可能な配設体を備える遊技機において、
前記配設体は、
第１発光手段と、
第２発光手段と、
前記第２発光手段からの光を導光する導光手段と、
前記第１発光手段の光進路方向に位置して当該第１発光手段からの光で発光する第１装飾面と、
前記導光手段から出射された光で発光する第２装飾面とを有する
ことを特徴とする遊技機。
【請求項２】
前記配設体を被配設体に配設し、
前記被配設体は前後方向に開口する開口部を備え、
前記配設体は、前記開口部に対して前記被配設体の前側から取り付けられる前構成体と、前記開口部に対して前記被配設体の後側から取り付けられる後構成体とを備え、
前記第２発光手段を前記後構成体に設け、
前記第２装飾面を前記前構成体に設けた
ことを特徴とする請求項１に記載の遊技機。
【手続補正２】
【補正対象書類名】明細書
【補正対象項目名】０００４
【補正方法】変更
【補正の内容】
【０００４】
ところで、この種の遊技機では、遊技盤（被配設体）に配設されるセンターケース（配設体）は、遊技者が注目する画像表示手段の表示画面の周縁箇所に位置しており、遊技機の美的印象を左右する構成であることから、当該センターケースの各装飾面（例えば異なる方向を向く各装飾面）にそれぞれ電飾部品を配設することで装飾性を高めて遊技者の遊技意欲を起こさせることが考えられる。しかしながらこの場合には、センターケースに配置される電飾部品が多くなり過ぎてしまい、発光装飾に関して部品点数の増加が懸念される。
【手続補正３】
【補正対象書類名】明細書
【補正対象項目名】０００５
【補正方法】変更
【補正の内容】
【０００５】
本発明は、上記事情に鑑みてなされたものであり、配設体の装飾面を効率的に発光させることができる遊技機を提供することを目的とする。
【手続補正４】
【補正対象書類名】明細書
【補正対象項目名】０００６
【補正方法】変更
【補正の内容】
【０００６】
本発明は、発光装飾可能な配設体を備える遊技機において、前記配設体は、第１発光手段と、第２発光手段と、前記第２発光手段からの光を導光する導光手段と、前記第１発光手段の光進路方向に位置して当該第１発光手段からの光で発光する第１装飾面と、前記導光手段から出射された光で発光する第２装飾面とを有するものである。
【手続補正５】
【補正対象書類名】明細書
【補正対象項目名】０００７
【補正方法】変更
【補正の内容】
【０００７】
また、前記配設体を被配設体に配設し、前記被配設体は前後方向に開口する開口部を備え、前記配設体は、前記開口部に対して前記被配設体の前側から取り付けられる前構成体と、前記開口部に対して前記被配設体の後側から取り付けられる後構成体とを備え、前記第２発光手段を前記後構成体に設け、前記第２装飾面を前記前構成体に設けたものでもよい。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
本発明によれば、配設体の装飾面を効率的に発光させることができる。
【手続補正１４】
【補正対象書類名】明細書
【補正対象項目名】００５０
【補正方法】変更
【補正の内容】
【００５０】
後構造体２３は、図５、図６に示すように、装飾内壁部材５０にネジ止めされた状態の基板支持部材５２を取り付けるための取付ボス２３ｂを備えている。この取付ボス２３ｂは、当該後構造体２３の背壁部３２から前方に突出し、この突出先端面にネジ穴（図示省略）が形成されたボス部材である。基板支持部材５２の延出部５６には、ネジ５０ｅが挿入される貫通孔５６ａが形成されている。そして、基板支持部材５２の延出部５６の貫通孔５６ａにネジ５０ｅを挿入し、このネジ５０ｅを取付ボス２３ｂのネジ穴に螺入することで基板支持部材５２の延出部５６が後構造体２３の取付ボス２３ｂにネジ止めされ、基板支持部材５２が後構造体２３に固定される。
【手続補正１５】
【補正対象書類名】明細書
【補正対象項目名】００６４
【補正方法】変更
【補正の内容】
【００６４】
また、遊技盤１１は、前後方向に開口した装着孔１１ａが形成された遊技盤１１であり、センターケース１４は、遊技盤１１の装着孔１１ａの箇所に配設される枠体であり、センターケース１４は、遊技盤１１の装着孔１１ａの箇所に当該遊技盤１１の前側から取り付けられる前構造体２１と、遊技盤１１の装着孔１１ａの箇所に当該遊技盤１１の後側から取り付けられる後構造体２３とを備え、ＬＥＤ実装基板４６は後構造体２３に配設され、前側装飾部材７０は前構造体２１に取り付けている。例えば前構造体２１側に電気部品（例えばＬＥＤ実装基板）を配設する構成の場合には、前構造体２１を遊技盤１１の前側に取り付ける際に、前構造体２１側の配線を前構造体２１と遊技盤１１との間に噛み込むことがないように注意して作業を行わなければならないし、前構造体２１側の配線が遊技盤１１の正面視で遊技者に見えないように後構造体２３側に敷設しなければならないことから、センターケース１４の遊技盤１１への組み付け作業が煩雑でその作業に時間がかかってしまう。これに対して、本実施形態では、第１ＬＥＤ４４と第２ＬＥＤ４５とを実装したＬＥＤ実装基板４６をセンターケース１４の後構造体２３に配設しており、当該センターケース１４の前構造体２１側にはＬＥＤ実装基板４６や配線などの電気部品を配設する必要がないので、前構造体２１についてはＬＥＤ実装基板４６や配線などを気にせずに単純に遊技盤１１に取り付けることができ、センターケース１４の遊技盤１１への組み付け作業が簡易にでき、作業時間を短縮できる。